(57)【要約】  本発明の目的はアクセスネットワークを介してアクセス可能な複数の在圏ネットワークの中から、ホームネットワークオペレータによりローミングが許された在圏ネットワークをローミングユーザが選択することができるメカニズムを提供することである。それ故に、本発明は、新しい方法、おそらく別のネットワークエンティティに組み込まれるであろう新しいローミング装置、及び高機能ユーザ装置を提供し、それにより、ユーザ装置からの指示があれば、ホームネットワークは、ユーザ装置に向けて、許された、或いは、好ましい在圏ネットワークのリストと共に、リストから１つの在圏ネットワークを選択する選択基準を提出することができる。
2008544596.tif 000002
【特許請求の範囲】
【請求項１】
ＧＳＭ／ＧＰＲＳドメインを有するホームネットワーク（ＨＰＬＭＮ）の加入者であるユーザの音声及びデータ通信のためのユーザ装置（ＵＥ）であって、
ＧＳＭ／ＧＰＲＳアクセスネットワーク（ＧＳＭ／ＧＰＲＳ−ＡＮ）を介してアタッチする（Ｐ−１０）第１の在圏ネットワーク（ＶＰＬＭＮ）を選択する第１のアタッチ手段と、
前記ホームネットワーク（ＨＰＬＭＮ）からの在圏ネットワークを選択する選択基準を適用するためのサポートが前記ユーザ装置（ＵＥ）にあることを前記ホームネットワークに示す手段と、
前記ＧＳＭ／ＧＰＲＳアクセスネットワークを介して前記ホームネットワーク（ＨＰＬＭＮ）からローミングが許された在圏ネットワークのリスト（ＶＰＬＭＮ，ＶＰＬＭＮ−１，ＶＰＬＭＮ−４，ＶＰＬＭＮ−５；“ユーザの選択”リスト）及び在圏ネットワークを選択する選択基準（Ｐｒｉ）を受信する手段とを有することを特徴とするユーザ装置（ＵＥ）。
【請求項２】
前記受信した選択基準を適用することにより、前記ホームネットワークから受信した在圏ネットワークのリスト（ＶＰＬＭＮ，ＶＰＬＭＮ−１，ＶＰＬＭＮ−４，ＶＰＬＭＮ−５）内のネットワークの中からアタッチする第２の在圏ネットワーク（ＶＰＬＭＮ−１）を選択する第２のアタッチ手段をさらに有することを特徴とする請求項１に記載のユーザ装置（ＵＥ）。
【請求項３】
前記選択基準（Ｐｒｉ）は、前記ホームネットワークにより決定され、前記ローミングが許された在圏ネットワークがリストされた順番により暗示的に表わされた選択優先順位の基準を含むことを特徴とする請求項１に記載のユーザ装置（ＵＥ）。
【請求項４】
前記ローミングが許された在圏ネットワークのリストを受信するためにアタッチされた前記第１の在圏ネットワーク（ＶＰＬＭＮ）は、禁止されていない在圏ネットワークとして維持されることを特徴とする請求項１に記載のユーザ装置（ＵＥ）。
【請求項５】
前記ホームネットワーク（ＨＰＬＭＮ）がＷＬＡＮドメインを有し、
前記ユーザ装置は、
ＷＬＡＮアクセスネットワークを介してアタッチするために、第２の在圏ネットワーク（ＶＰＬＭＮ−２）を選択する第２のアタッチ手段を有し、
前記ホームネットワークからの選択基準を前記ユーザ装置において適用するサポートがあることを示す手段は、
前記ＧＳＭ／ＧＰＲＳアクセスネットワークを介して前記ホームネットワーク（ＨＰＬＭＮ）へ、多くの示されたＷＬＡＮアクセスネットワーク（ＳＳＩＤ−１：ＶＰＬＭＮ−１，ＶＰＬＭＮ−２，ＶＰＬＭＮ−３；ＳＳＩＤ−３：ＶＰＬＭＮ）を介してアクセス可能な在圏ネットワークのリストを提出する手段を有することを特徴とする請求項１に記載のユーザ装置（ＵＥ）。
【請求項６】
前記ホームネットワーク（ＨＰＬＭＮ）から受信した在圏ネットワークのリスト（“ユーザの選択”リスト）は、示されたＷＬＡＮアクセスネットワーク各々（ＳＳＩＤ−１：ＶＰＬＭＮ−２；ＳＳＩＤ−２：ＶＰＬＭＮ−２；ＳＳＩＤ−３：ＶＰＬＭＮ）を介して、前記ローミングが許された在圏ネットワークを示すために、各ＷＬＡＮアクセスネットワーク（ＷＬＡＮ−ＡＮ）をベースにして構成されることを特徴とする請求項５に記載のユーザ装置（ＵＥ）。
【請求項７】
前記第２の在圏ネットワーク（ＶＰＬＭＮ−２）を選択する第２のアタッチ手段は、前記受信された選択基準を適用することにより、前記ホームネットワークから受信した各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）をベースにした在圏ネットワークのリスト内のＷＬＡＮアクセスネットワークの間でＷＬＡＮアクセスネットワーク（ＷＬＡＮ−ＡＮ）にアタッチする手段を有することを特徴とする請求項６に記載のユーザ装置（ＵＥ）。
【請求項８】
前記ホームネットワーク（ＨＰＬＭＮ）から受信した在圏ネットワークのリスト（“ユーザの選択”リスト）よりも、前記ユーザ（Ｐ−６０）に対して、ユーザの好みの適用をユーザに通知する手段と、
前記各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）をベースとした在圏ネットワークのリスト内のＷＬＡＮアクセスネットワークの間で、ユーザがＷＬＡＮアクセスネットワーク（ＷＬＡＮ−ＡＮ）を選択する手段とをさらに有することを特徴とする請求項６に記載のユーザ装置（ＵＥ）。
【請求項９】
前記ホームネットワーク（ＨＰＬＭＮ）から受信した在圏ネットワークのリスト（“ユーザの選択”リスト）よりもユーザの好みを適用する手段をさらに有し、
前記適用されるユーザの好みは、Ｕ−ＳＩＭカード（Ｐ−５０）に格納された好みの在圏ネットワークのリストを備えていることを特徴とする請求項６に記載のユーザ装置（ＵＥ）。
【請求項１０】
前記ホームネットワークに向けて、前記ユーザを特定するユーザアイデンティティ（Ｕｓｅｒ−ＩＤ）と、前記選択されたＷＬＡＮアクセスネットワーク（ＳＳＩＤ−１）の識別子と在圏ネットワーク（ＶＰＬＭＮ−２）識別子とを提出する登録手段（Ｓ−２０，Ｓ−２１，Ｓ−２２，Ｓ−２３）をさらに有することを特徴とする請求項７に記載のユーザ装置（ＵＥ）。
【請求項１１】
前記登録手段は、前記ホームネットワークに向けて選択有効期限タイマ値を提出する手段を含むことを特徴とする請求項１０に記載のユーザ装置（ＵＥ）。
【請求項１２】
ＧＳＭ／ＧＰＲＳドメインを含むホームネットワーク（ＨＰＬＭＮ）の加入者であるローミングユーザのユーザ装置（ＵＥ）に向けて、在圏ネットワーク（ＶＰＬＭＮ，ＶＰＬＭＮ−１，ＶＰＬＭＮ−２，ＶＰＬＭＮ−３，ＶＰＬＭＮ−４，ＶＰＬＭＮ−５）を選択する選択基準を前記ホームネットワークから提供するローミングサーバ装置（Ｎ−５３）であって、
前記ローミングサーバ装置は、
示された在圏ネットワークがローミングユーザにアタッチすることが許されているかどうかを判定する判定手段と、
在圏ネットワークを選択するための、前記ホームネットワークからの選択基準を適用するサポートが前記ユーザ装置（ＵＥ）にあるとの示唆を、前記ユーザ装置（ＵＥ）から受信する手段と、
前記ユーザ装置（ＵＥ）に向けて、在圏ネットワークを選択するための選択基準（Ｐｒｉ）とともに、ローミングが許された在圏ネットワークのリスト（ＶＰＬＭＮ，ＶＰＬＭＮ−１，ＶＰＬＭＮ−２，ＶＰＬＭＮ−４，ＶＰＬＭＮ−５；“ユーザの選択”リスト）を提出する手段とを有することを特徴とするローミングユーザ装置（Ｎ−５３）。
【請求項１３】
前記判定手段は、各ロケーション（ＭＣＣ，ＭＮＤＣ）をベースにして前記ユーザがアクセス可能な在圏ネットワークのリスト（ＶＰＬＭＮ，ＶＰＬＭＮ−１，ＶＰＬＭＮ−２，ＶＰＬＭＮ−４，ＶＰＬＭＮ−５）を取得する手段を含むことを特徴とする請求項１２に記載のローミングサーバ装置（Ｎ−５３）。
【請求項１４】
前記選択基準（Ｐｒｉ）は、パラメータ値（Ｐｒｉ）により明示的に表わされたか、或いは、前記ローミングが許された在圏ネットワークがリストされる順番で暗示的に表わされた選択優先順位の基準を含むことを特徴とする請求項１２に記載のローミングサーバ装置（Ｎ−５３）。
【請求項１５】
各ロケーション（ＭＣＣ，ＭＮＤＣ）に対する在圏ネットワークのリスト（ＶＰＬＭＮ−１，ＶＰＬＭＮ−２，ＶＰＬＭＮ−４，ＶＰＬＭＮ−５）のための記憶装置をさらに有し、
各在圏ネットワークが選択優先順位（Ｐｒｉ）と共に格納されることを特徴とする請求項１４に記載のローミングサーバ装置（Ｎ−５３）。
【請求項１６】
前記ホームネットワークからの選択基準を前記ユーザ装置がサポートすることの示唆を受信する手段は、多くの数の示されたＷＬＡＮアクセスネットワーク（ＳＳＩＤ−１：ＶＰＬＭＮ−１，ＶＰＬＭＮ−２；ＳＳＩＤ−２：ＶＰＬＭＮ−２，ＶＰＬＭＮ−３；ＳＳＩＤ−３：ＶＰＬＭＮ）を介してアクセス可能な在圏ネットワークのリストを受信する手段を含むことを特徴とする請求項１２に記載のローミングサーバ装置（Ｎ−５３）。
【請求項１７】
示されたＷＬＡＮアクセスネットワークを介してアクセス可能な在圏ネットワークの前記受信リストから、ローミングが禁止されていることが見出された在圏ネットワーク（ＶＰＬＭＮ−３）を削除する手段と、
ローミングが許された在圏ネットワークの最終リスト（ユーザの選択リスト）を作り上げるために、前記ホームネットワークオペレータにより設定された優先順位のもとで、各許されたＷＬＡＮアクセスネットワークをベースとして前記許された在圏ネットワークに優先順位を付ける手段とをさらに有することを特徴とする請求項１６に記載のローミングサーバ装置（Ｎ−５３）。
【請求項１８】
前記ユーザ装置（ＵＥ）に向けて、前記ローミングを許容された在圏ネットワークのリストを提出する手段は、各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）をベースとした前記リストを構成する手段を含むことを特徴とする請求項１６に記載のローミングサーバ装置（Ｎ−５３）。
【請求項１９】
前記ユーザ装置（ＵＥ）から、前記ユーザを特定するユーザアイデンティティ（Ｕｓｅｒ−ＩＤ）と、選択されたＷＬＡＮアクセスネットワーク（ＳＳＩＤ−１）の識別子と、在圏ネットワーク（ＶＰＬＭＮ，ＶＰＬＭＮ−２）の識別子とを受信する手段（Ｓ−２０，Ｓ−２１，Ｓ−２２，Ｓ−２３，Ｓ−２４）と、
最新の“ユーザの選択”リストとして、前記ユーザアイデンティティ（Ｕｓｅｒ−ＩＤ）、前記選択された在圏ネットワーク（ＶＰＬＭＮ，ＶＰＬＭＮ−２）、及び、前記ＷＬＡＮアクセスネットワークの識別子（ＳＳＩＤ）を格納する手段とをさらに有することを特徴とする請求項１７に記載のローミングサーバ装置（Ｎ−５３）。
【請求項２０】
前記ユーザ装置から選択有効期限タイマ値を受信する手段と、
前記選択有効期限タイマ値の期限切れの時、前記最新の“ユーザの選択”リストを消去する手段とをさらに有することを特徴とする請求項１８に記載のローミングサーバ装置（Ｎ−５３）。
【請求項２１】
ホームネットワークの各加入者についての加入契約を保持するホームネットワークエンティティ（Ｎ−５２，ＨＬＲ，ＨＳＳ）であって、
請求項１２に記載のローミングサーバ装置を有することを特徴とするホームネットワークエンティティ。
【請求項２２】
ＧＳＭ／ＧＰＲＳドメインを有するホームネットワーク（ＨＰＬＭＮ）の加入者であるローミングユーザのユーザ装置（ＵＥ）により在圏ネットワーク（ＶＰＬＭＮ，ＶＰＬＭＮ−１，ＶＰＬＭＮ−２，ＶＰＬＭＮ−３，ＶＰＬＭＮ−４，ＶＰＬＭＮ−５）を選択する方法であって、前記方法は、
前記ユーザ装置（ＵＥ）が、ＧＳＭ／ＧＰＲＳアクセスネットワーク（ＧＳＭ／ＧＰＲＳ−ＡＮ）を介して第１の在圏ネットワーク（ＶＰＬＭＮ）にアタッチする工程と、
前記ホームネットワークからの、在圏ネットワークを選択する選択基準を適用するためのサポートが前記ユーザ装置（ＵＥ）にあることを前記ホームネットワーク（ＨＰＬＭＮ）に示す工程と、
前記ＧＳＭ／ＧＰＲＳアクセスネットワークを介して前記ホームネットワーク（ＨＰＬＭＮ）から、ローミングが許された在圏ネットワークのリスト（ＶＰＬＭＮ，ＶＰＬＭＮ−１，ＶＰＬＭＮ−４，ＶＰＬＭＮ−５；“ユーザの選択”リスト）と、在圏ネットワークを選択するための選択基準（Ｐｒｉ）とを受信する工程と、
前記ユーザ装置（ＵＥ）が、前記受信された選択基準を適用することにより、前記ホームネットワークから受信した在圏ネットワークのリスト（ＶＰＬＭＮ，ＶＰＬＭＮ−１，ＶＰＬＭＮ−４，ＶＰＬＭＮ−５）内の在圏ネットワークから選択した第２の在圏ネットワーク（ＶＰＬＭＮ−１）にアタッチする工程とを有することを特徴とする方法。
【請求項２３】
ＧＳＭ／ＧＰＲＳドメインとＷＬＡＮドメインを有するホームネットワーク（ＨＰＬＭＮ）の加入者であるローミングユーザのユーザ装置（ＵＥ）により、“見える”ＷＬＡＮアクセスネットワーク（ＳＳＩＤ−１，ＳＳＩＤ−２，ＳＳＩＤ−３）を介してアクセス可能な在圏ネットワーク（ＶＰＬＭＮ，ＶＰＬＭＮ−１，ＶＰＬＭＮ−２，ＶＰＬＭＮ−３，ＶＰＬＭＮ−４，ＶＰＬＭＮ−５）を選択する方法であって、前記方法は、
前記ユーザ装置（ＵＥ）が、ＧＳＭ／ＧＰＲＳアクセスネットワーク（ＧＳＭ／ＧＰＲＳ−ＡＮ）を介して第１の在圏ネットワーク（ＶＰＬＭＮ，ＶＰＬＭＮ−１）にアタッチする（Ｐ−１０）工程と、
前記“見える”ＷＬＡＮアクセスネットワーク（ＳＳＩＤ−１，ＳＳＩＤ−２，ＳＳＩＤ−３）から、示されたＷＬＡＮアクセスネットワーク各々を介してアクセス可能な在圏ネットワーク（ＶＰＬＭＮ；ＶＰＬＭＮ−２）のリストを収集する工程と、
前記ＧＳＭ／ＧＰＲＳアクセスネットワークを介して前記ホームネットワーク（ＨＰＬＭＮ）に、示されたＷＬＡＮアクセスネットワーク（ＳＳＩＤ−１：ＶＰＬＭＮ−１，ＶＰＬＭＮ−２；ＳＳＩＤ−２：ＶＰＬＭＮ−２，ＶＰＬＭＮ−３；ＳＳＩＤ−３：ＶＰＬＭＮ）各々を介してアクセス可能な在圏ネットワークのリストを提出する工程と、
前記ＧＳＭ／ＧＰＲＳアクセスネットワークを介して前記ホームネットワーク（ＨＰＬＭＮ）から、多数の示されたＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）各々を介してアクセス可能な在圏ネットワークのリストを受信する工程と、
前記ユーザ装置（ＵＥ）が、前記ホームネットワークから受信した各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）をベースとした在圏ネットワークのリスト内の在圏ネットワークから選択されたＷＬＡＮアクセスネットワークを介して第２の在圏ネットワーク（ＶＰＬＭＮ−２）にアタッチする工程とを有することを特徴とする方法。
【請求項２４】
前記ホームネットワーク（ＨＰＬＭＮ）から在圏ネットワークのリストを受信する工程は、在圏ネットワークのリストから１つの在圏ネットワークを選択する選択基準を受信する工程を含むことを特徴とする請求項２３に記載の方法。
【請求項２５】
前記第２の在圏ネットワーク（ＶＰＬＭＮ−２）にアタッチする工程は、前記ホームネットワークから受信した各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ；“ユーザの選択”リスト）をベースとした在圏ネットワークのリストに、前記受信した選択基準を適用する工程を含むことを特徴とする請求項２４に記載の方法。
【請求項２６】
前記第２の在圏ネットワーク（ＶＰＬＭＮ−２）にアタッチする工程は、前記ホームネットワーク（ＨＰＬＭＮ）から受信した各ＷＬＡＮアクセスネットワークをベースにした在圏ネットワークのリスト（ＳＳＩＤ−１：ＶＰＬＭＮ−２；ＳＳＩＤ−２：ＶＰＬＭＮ−２；ＳＳＩＤ−３：ＶＰＬＭＮ；“ユーザの選択”リスト）よりもユーザの好みを適用する工程を有し、
前記適用されるユーザの好みは、Ｕ−ＳＩＭカード（Ｐ−５０）に格納された好ましい在圏ネットワークの何らかのリストにあることを特徴とする請求項２３に記載の方法。
【請求項２７】
前記ホームネットワークに向けて、最新の「ユーザの選択」リストとして格納される、前記ユーザを特定するユーザアイデンティティ（Ｕｓｅｒ−ＩＤ）と、選択されたＷＬＡＮアクセスネットワーク（ＳＳＩＤ−１）の識別子と、在圏ネットワーク（ＶＰＬＭＮ−２）の識別子とを登録する（Ｓ−２０，Ｓ−２１，Ｓ−２２，Ｓ−２３）工程をさらに有することを特徴とする請求項２３に記載の方法。
【発明の詳細な説明】
【技術分野】
【０００１】
本発明は一般に、１つ以上の在圏ネットワークにアクセス可能なエリアにローミングしているときの、ユーザ或いはユーザ装置による在圏ネットワークの選択に関する。特に、本発明は、在圏ネットワークが種々のアクセスネットワークを介してアクセス可能な場合に適用可能である。
【背景技術】
【０００２】
現在、第三世代パートナーシッププロジェクト（一般に“３ＧＰＰ”として知られる）では、３ＧＰＰネットワークといわゆる無線ローカルエリアネットワーク（一般に“ＷＬＡＮ”として、また“ホットスポット”としても知られる）との相互接続を可能にするインターワーキングアーキテクチャを開発している。ここで、ＷＬＡＮはアクセスネットワークの役割を果たし、そのネットワークを介してエンドユーザは３ＧＰＰネットワークにアクセスして、３ＧＰＰネットワークのサービスを利用してもよいし、また単に３ＧＰＰネットワークを認証、認可、及び課金目的で使用してもよい。３ＧＰＰネットワークは、ＧＳＭ（汎欧州デジタル移動電話方式）や汎用パケット無線システム（ＧＰＲＳ）などの異なる周知の技術から、また、最近の技術であるＵＭＴＳ（全球規模の移動体通信システム）からの数多くネットワークノードとインタフェースを有してもよい。
【０００３】
図１に示すこの相互接続の利点は、エンドユーザに加えて、両方の当事者、即ち、ＷＬＡＮオペレータと３ＧＰＰネットワークオペレータの双方に利益をもたらす（win-win）関係があることである。３ＧＰＰネットワークオペレータは、空港やホテルなどの高速接続が非常に役立つ可能性がある場所で、ＷＬＡＮにより提供される高速データアクセスをエンドユーザに提供するかもしれない。それ故、この相互接続のために、ＷＬＡＮホットスポットオペレータは、３ＧＰＰネットワークオペレータの加入者で、３ＧＰＰネットワークにもっと容易にアクセスが可能になるエンドユーザをより多く引き付けることが可能になる。
【０００４】
その一方で、３ＧＰＰネットワークオペレータは、依然として、一連の業務を保持し、ＷＬＡＮホットスポットオペレータから委託されたタスクを依然として実行することにより適切なアクセスのセキュリティを保証する。当面の間は、このタスクとはユーザの認証と課金機能であるかもしれない。
【０００５】
都合のよいことに、３ＧＰＰネットワークの認証は、エンドユーザが３ＧＰＰネットワークで使用するのと同じ方法、即ち、ユーザ加入者識別モジュールカード（ＧＳＭユーザのＳＩＭカード、ＵＭＴＳユーザのＵＳＩＭカードであり、以下両方とも“Ｕ−ＳＩＭ”という）によるエンドユーザ認証を可能にする。このため、認証は、エンドユーザにはトランスペアレントである。その理由は、エンドユーザは、ＷＬＡＮアクセスネットワークで使用するパスワードまたは新しいユーザＩＤを知る必要がないのに対して、３ＧＰＰネットワークは依然として、認証中のユーザが実際に自ネットワークの加入者であることについて正確な知識を有するからである。その上、課金情報は、ＷＬＡＮホットスポットから３ＧＰＰネットワークに報告されてもよく、それ故、エンドユーザは、アクセスネットワークに関係なく１つの請求書を受け取ることが可能になる。
【０００６】
ＷＬＡＮアクセスネットワークと３ＧＰＰネットワークとのこの相互接続の興味深い面は、ユーザがローミング中で、利用可能なＷＬＡＮアクセスネットワークを介して在圏公衆陸上移動通信網（ＶＰＬＭＮ、Visited Public Land Mobile Network）にアクセスを望むとき、在圏３ＧＰＰネットワークとしてのＰＬＭＮの選択である。言い換えると、基本的な問題は、ユーザに自分のホームＰＬＭＮ（ＨＰＬＭＮ）にどうしたら連絡することができるかを知らせることである。
【０００７】
現在、ＧＳＭドメインまたはＧＰＲＳドメイン（以下両方を区別せずに“ＧＳＭ／ＧＰＲＳドメイン”という）でローミング中のユーザは、ユーザがアタッチできる在圏ネットワークのリストが提示される。この情報はユーザのＵ−ＳＩＭの記憶装置から読み出される。在圏ネットワーク（ＶＰＬＭＮ）の選択に関して、ユーザが異なる選択基準を適用できるようにする情報更新メカニズムはない。ましてや、ホームネットワークオペレータと種々の在圏ネットワークオペレータとの間のごく最近のサービス合意に応じて、動的に選択基準を適用できるようにする情報更新メカニズムはない。
【０００８】
もっと正確に言えば、ホームネットワーク（ＨＰＬＭＮ）の加入者がローミングしている間に在圏ネットワークに登録しようとするとき、ホームネットワークに向けて、いわゆる“位置更新”手順が開始される。特に、“位置更新”手順は、アクセスネットワークがＧＳＭかそれともＧＰＲＳのアクセスネットワークであるかに依存して、選択したＧＳＭ在圏ネットワーク（ＶＰＬＭＮ）内の在圏ロケーションレジスタ（ＶＬＲ）におそらく結合した、いわゆる移動体交換センタ（ＭＳＣ）を介して、ホームネットワーク内のホームロケーションレジスタ（一般に“ＨＬＲ”として知られる）或いはホーム加入者サーバ（一般に“ＨＳＳ”として知られる）に向けて開始されるか、或いは選択したＧＰＲＳ在圏ネットワーク（ＶＰＬＭＮ）内のサービングＧＰＲＳサポートノード（ＳＧＳＮ）を介して、ホームネットワーク内の前述のホームロケーションレジスタ（ＨＬＲ）或いはホーム加入者サーバ（ＨＳＳ）に向けて開始される。ホームネットワークが選択された在圏ネットワークを介した登録を拒否する場合、ユーザ装置はこのイベントの通知を受け、拒否された在圏ネットワークまたはその識別子を、いわゆる“ローミング禁止在圏ネットワーク”リストに格納する。
【０００９】
ユーザ装置側の“ローミング禁止在圏ネットワーク”リストに含まれた在圏ネットワークはどれも、ユーザ装置による以後の登録手順、即ち、“位置更新”手順中に試みられることさえないだろう。この点に関して、ホームネットワークの加入者がホームネットワークと他の在圏ネットワークとの間のごく最近のサービス合意を知ることができ、ホームネットワークがユーザに種々の選択基準に依存した適切な在圏ネットワークを選択する好みに気付かせることができるメカニズムを見出すことが望ましいだろう。
【００１０】
同様に、ＷＬＡＮドメインにローミング中のユーザが、ＷＬＡＮアクセスネットワークを介して接続するとき、複数の在圏ネットワーク（ＶＰＬＭＮ）の中から１つを選択できるメカニズムを見出すことも望ましいだろう。
【００１１】
今日、ＷＬＡＮアクセスネットワークで動作するように適合されたユーザ装置は、利用可能なサービスセット識別子（ＳＳＩＤ）を受信することができる。ＳＳＩＤは、ユーザ装置から“見える”ＷＬＡＮアクセスネットワークの識別子であるが、この情報は、ホームネットワークに連絡する最適のＷＬＡＮアクセスネットワークを選択するためには十分ではない。この文脈では、“見える（visible）”は、ユーザ装置が無線資源を介して、そのようなアクセスネットワークを発見し、通信することができることを意味する。
【００１２】
３ＧＰＰ及びインターネットエンジニアリングタスクフォース（ＩＥＴＦ）のフォーラムが提示する現在の解決策は、ユーザが自分のホームネットワーク（ＨＰＬＭＮ）に連絡するために使用できる在圏ネットワーク（ＶＰＬＭＮ）のリストを見たいと望んでいることをＷＬＡＮネットワークに示すために、特別な体系“nonreachable.3gppnetwork.org”の使用を提案している。この特別な体系を受信時、“見える”ＷＬＡＮネットワーク各々は、ＷＬＡＮネットワークが直接接続を有するそれらの在圏ネットワーク（ＶＰＬＭＮ）のリストを、“拡張認証プロトコル（ＥＡＰ）用のアイデンティティ選択ヒント（draft-adrange-eap-network-discovery-12）”により規定されるフォーマットでユーザに返信する。次いで、自動モードでは、ユーザ装置は、各ＷＬＡＮネットワークが直接接続する在圏ネットワーク（ＶＰＬＭＮ）のリストを受信する。ユーザ装置は、Ｕ−ＳＩＭ内に存在する２つの追加のリスト、即ち、オペレータが好む在圏ネットワーク（ＶＰＬＭＮ）を含む第１の追加のリストと、ユーザが好む在圏ネットワーク（ＶＰＬＭＮ）を含む第２の追加のリストの助けを借りて、そのリストから１つのネットワークを選択する。オペレータの好むリストは静的であり、Ｕ−ＳＩＭ内で変更できないのに対して、ユーザの好むリストは、ユーザ装置を操作することによりユーザはいつでも変更できる。２つの追加リストの助けを借りた、受信リストからの在圏ネットワーク（ＶＰＬＭＮ）の選択は、自動モードで実行されてもよいし、マニュアルモードで実行されてもよい。
【非特許文献１】３ＧＰＰ  ＴＳ  ２９．３２８
【発明の開示】
【発明が解決しようとする課題】
【００１３】
この解決策の大きな欠点は、原則として単にそれらのネットワークがＷＬＡＮに直接接続している理由で、ユーザは、ローミングしてもよい在圏ネットワーク（ＶＰＬＭＮ）のリストだけを受信することができるが、ユーザは、他の有益な情報を少しも持たないことである。さらに、このリストから選ばれた在圏ネットワーク（ＶＰＬＭＮ）は、在圏ネットワークがローミングを禁じられているとか、両ネットワークオペレータ間でローミングサービスが一時的に中断しているなどの種々の理由によって、ホームネットワーク（ＨＰＬＭＮ）から後で拒否されることがある。この意味することは、ある在圏ネットワークにアクセスするために１つのＷＬＡＮアクセスネットワークを選択した後に、その在圏ネットワークがホームネットワークから拒否されることがあるので、ユーザは、選択したＷＬＡＮアクセスネットワークを介してアクセス可能な受け入れられる在圏ネットワーク（ＶＰＬＭＮ）を選択するまで、または受け入れられる在圏ネットワーク（ＶＰＬＭＮ）にそれを介してアクセス可能な適切なＷＬＡＮアクセスネットワークを選択するまで、プロセスを繰り返す必要があるだろう。そして、この反復プロセスは、各在圏ネットワークの受け入れのために、ホームネットワークへのアクセスを繰り返し実行しなければならないだろう。この欠点は、ユーザがＷＬＡＮアクセスネットワークのサービスエリアから別のサービスエリアに移動するとき、さらに悪化する。
【００１４】
また、ユーザは通常、在圏ネットワーク（ＶＰＬＭＮ）を選択し、連絡可能である限り、その在圏ネットワークを継続使用したいと望んでいる。このことは、現在のＧＳＭ／ＧＰＲＳネットワークの障害になる。このネットワークでは、他の在圏ネットワーク（ＶＰＬＭＮ）の信号強度が、ユーザが前に選択した在圏ネットワークの信号強度より強い場合、ユーザ装置はその在圏ネットワークに自動的に切り替えようとし、新しい在圏ネットワークへのハンドオーバの前に、ホームネットワークから承認を得なければならない。
【００１５】
それ故、本発明の目的は、ローミングユーザがアクセスネットワークを介してアクセス可能な複数の在圏ネットワーク（ＶＰＬＭＮ）の中から、ホームネットワークオペレータによりローミングを許された少なくとも１つの在圏ネットワークを選択できるメカニズムを提供することである。
【００１６】
また、本発明は、ユーザがローミング中にＷＬＡＮインターワーキングアーキテクチャが現在動作するやり方でＷＬＡＮアクセスネットワークに接続を望むとき、ユーザに在圏ネットワーク選択用の簡単で精度の高いメカニズムを提供することを目的とする。
【００１７】
さらに、本発明の目的は、特定の在圏ネットワークにアクセスするための特定のアクセスネットワークを選択する選択基準として、在圏ネットワークとアクセスネットワークに関するより完全な情報をユーザに提供することである。
【課題を解決するための手段】
【００１８】
上記の目的は、本発明によれば、ユーザの音声とデータ通信用のユーザ装置と、ローミング時に在圏ネットワークを選択するために、ホームネットワークからユーザのユーザ装置に向けて、選択基準を提供するローミングサーバ装置と、ローミング時にユーザのユーザ装置により在圏ネットワークを選択する方法、より具体的には、ユーザがローミング中であり、ユーザ装置がＷＬＡＮとＧＳＭ／ＧＰＲＳの機能があるとき、ユーザ装置により“見える”ＷＬＡＮアクセスネットワークを介してアクセス可能な在圏ネットワークを選択する方法とを提供することにより達成される。
【００１９】
本発明の一つの側面からすれば、ＧＳＭ／ＧＰＲＳドメインを有するホームネットワークの加入者であるユーザの音声とデータ通信用のユーザ装置であって、そのユーザ装置は、
ＧＳＭ／ＧＰＲＳアクセスネットワークを介してアタッチする第１の在圏ネットワークを選択する第１のアタッチ手段と、
ホームネットワークからの在圏ネットワークを選択する選択基準を適用するためのサポートがユーザ装置にあることをそのホームネットワークに示す手段と、
ＧＳＭ／ＧＰＲＳアクセスネットワークを介して、ホームネットワークからローミングを許された在圏ネットワークのリストと、在圏ネットワークを選択する選択基準を受信する手段とを有することを特徴とするユーザ装置を備える。
【００２０】
このユーザ装置は、受信した選択基準を適用することにより、ホームネットワークから受信した在圏ネットワークのリスト内のネットワークの中からアタッチする第２の在圏ネットワークを選択する第２のアタッチ手段をさらに備えてもよい。その選択基準は、とりわけ、ホームネットワークにより決定され、ローミングが許された在圏ネットワークがリストされる順番で暗示的に表わされる選択優先順位の基準を含んでもよい。それにもかかわらず、ローミングを許された在圏ネットワークのリストを受信するためにアタッチされた第１の在圏ネットワークは、たとえ、受信した在圏ネットワークのリストに含まれていなかったとしても、禁止されていない在圏ネットワークとして継続使用されてもよい。このリストは、好みに優先順位が与えられた好ましい在圏ネットワークを対象としてもよいし、或いは、ホームネットワークの合意を考慮した許された在圏ネットワークを対象としてもよい。
【００２１】
ホームネットワークがＷＬＡＮドメインを含み、ユーザ装置がＷＬＡＮ機能を有するシナリオなどの本発明のいくつかの実施例によれば、ユーザ装置は、ＷＬＡＮアクセスネットワークを介して、アタッチする第２の在圏ネットワークを選択する第２のアタッチ手段を有してもよい。このユーザ装置において、ホームネットワークからの選択基準を適用するサポートがあることを示す手段は、ＧＳＭ／ＧＰＲＳアクセスネットワークを介してホームネットワークへ、示された多数のＷＬＡＮアクセスネットワークを介してアクセス可能な在圏ネットワークのリストを提出する手段を備える。
【００２２】
ホームネットワークから受信した在圏ネットワークのリストは、示されたＷＬＡＮアクセスネットワーク各々を介してローミングが許された在圏ネットワークを示すために、各ＷＬＡＮアクセスネットワークをベースにして構成されることが好ましい。この場合、第２の在圏ネットワークを選択する第２のアタッチ手段は、受信した選択基準を適用することにより、ホームネットワークから受信した各ＷＬＡＮアクセスネットワークをベースにした在圏ネットワークのリストのＷＬＡＮアクセスネットワークの中のＷＬＡＮアクセスネットワークにアタッチする手段を有してもよい。
【００２３】
ホームネットワークから受信した選択基準に関して、ユーザ装置は、ホームネットワークから受信した在圏ネットワークのリストよりもユーザの好みの適用をユーザに伝える手段と、各ＷＬＡＮアクセスネットワークをベースにした在圏ネットワークのリストのＷＬＡＮアクセスネットワークの中から、ユーザがＷＬＡＮアクセスネットワークを選択する手段とをさらに備えてもよい。追加的にまたは代替的に、ユーザ装置は、ホームネットワークから受信した在圏ネットワークのリストよりも、Ｕ−ＳＩＭカードに格納されたユーザの好みを適用する手段をさらに備えてもよい。
【００２４】
このユーザ装置はうまく、ホームネットワークに向けて、ユーザを特定するユーザアイデンティティと、選択されたＷＬＡＮアクセスネットワークの識別子と、在圏ネットワークの識別子とを提出する登録手段を有してもよい。この選択は、同様のシナリオを試みるときに、さらに使用される最新のユーザの選択として、ホームネットワークに格納されてもよい。さらにまた、ユーザ装置の登録手段は、ホームネットワークに向けて選択有効期限タイマ値を提出する手段を有してもよく、それにより、この最新のユーザの選択は、有効期限タイマの終了で消去されてもよい。
【００２５】
本発明の他の側面からすれば、ＧＳＭ／ＧＰＲＳドメインがあるホームネットワークの加入者であるローミングユーザのユーザ装置に向けて、在圏ネットワークを選択する選択基準をホームネットワークから提供する、上記ユーザ装置と協働するローミングサーバ装置であって、このローミングサーバ装置は、
示された在圏ネットワークにローミングユーザがアタッチすることが許されているかどうかを判定する判定手段と、
ホームネットワークからの在圏ネットワークを選択する選択基準を適用するサポートがユーザ装置にあるとの示唆をユーザ装置から受信する手段と、
ユーザ装置に向けて、在圏ネットワークを選択するための、例えば、優先順位などの選択基準を添えて、ローミングが許された在圏ネットワークのリストを提出する手段とを有することを特徴とするローミングユーザ装置が備えられる。
【００２６】
本発明の一実施例によれば、このローミングサーバ装置の判定手段は、場所ごとをベースにしてユーザがアクセス可能な在圏ネットワークのリストを取得する手段を有してもよい。
【００２７】
ホームネットワークからの選択基準に関して、ローミングサーバ装置は、選択基準がパラメータ値により明示的に表わされたか、或いは、ローミングが許された在圏ネットワークがリストされる順番で暗示的に表わされた選択優先順位の基準を有してもよいように構成される。この点に関して、ローミングサーバ装置はさらに、各在圏ネットワークが選択優先順位と一緒に格納される、各ロケーションに対する在圏ネットワークのリスト用の記憶装置をさらに有してもよい。
【００２８】
また、このローミングサーバ装置では、ホームネットワークからの選択基準をユーザ装置でサポートすることの示唆を受信する手段は、多くの示されたＷＬＡＮアクセスネットワークを介してアクセス可能な在圏ネットワークのリストを受信する手段を有していてもよい。さらに、このローミングサーバ装置は、
示されたＷＬＡＮアクセスネットワークを介してアクセス可能な在圏ネットワークの受信リストから、ローミングが禁止されているとわかった在圏ネットワークを削除する手段と、
ローミングが許された在圏ネットワークの最終リストを作り上げるために、ホームネットワークオペレータにより設定された優先順位のもとで、許された各ＷＬＡＮアクセスネットワークをベースに許された在圏ネットワークに優先順位を付ける手段とをさらに有していてもよい。
【００２９】
特に、ローミングサーバ装置は、ユーザ装置に向けてローミングが許された在圏ネットワークのリストを提出する手段が、各ＷＬＡＮアクセスネットワークをベースにした前記リストを構成する手段を含んでも良いように構成されてもよい。
【００３０】
上記ユーザ装置の対応する特徴に合わせて、このローミングサーバ装置はさらに、
そのユーザ装置から、ユーザを特定するユーザアイデンティティと、選択されたＷＬＡＮアクセスネットワークの識別子と、在圏ネットワークの識別子とを受信する手段と、
最新の“ユーザの選択”リストとして、前記ユーザアイデンティティと、前記選択された在圏ネットワークと、前記ＷＬＡＮアクセスネットワークの識別子とを格納する手段とを有していてもよい。
【００３１】
さらにまた、前記ローミングサーバ装置は、
ユーザ装置から選択有効期限タイマ値を受信する手段と、
その選択有効期限タイマ値の終了時、最新の“ユーザの選択”リストを消去する手段とを含んでいてもよい。
【００３２】
このローミングサーバ装置は、本発明のいくつかの実施例のもとでさらに提示されるように、個別のエンティティとして提供されてもよいし、他の実施例で代表的に例示されるように、ホームネットワークのエンティティの中に組み込まれてもよい。
【００３３】
従って、本発明の一つの側面からすれば、ホームネットワークの各加入者に関する加入契約を保有し、上記ローミングサーバ装置を有するホームネットワークエンティティが備えられる。このようなエンティティは、ホームロケーションレジスタ或いはホーム加入者サーバであってもよい。
【００３４】
協働するエンティティ、上記ユーザ装置、及びローミングサーバ装置とは別に、本発明に従い、また、上記の注釈に従って、ＧＳＭ／ＧＰＲＳドメインを含むホームネットワークの加入者であるローミングユーザのユーザ装置による在圏ネットワークを選択する方法を備えられる。この方法は、
ユーザ装置が、ＧＳＭ／ＧＰＲＳアクセスネットワークを介して第１の在圏ネットワークにアタッチする工程と、
ホームネットワークからの在圏ネットワークを選択する選択基準を適用するサポートがユーザ装置にあることをホームネットワークに示す工程と、
ＧＳＭ／ＧＰＲＳアクセスネットワークを介してホームネットワークから、ローミングが許された在圏ネットワークのリストと、在圏ネットワークを選択する選択基準とを受信する工程と、
ユーザ装置が、受信選択基準を適用することにより、ホームネットワークから受信した在圏ネットワークのリスト内の在圏ネットワークの中から選択した第２の在圏ネットワークにアタッチする工程とを有する。
【００３５】
この方法とは別に、ＧＳＭ／ＧＰＲＳドメインとＷＬＡＮドメインとを含むホームネットワークの加入者による実用のために、本発明の他の側面からすれば、ＷＬＡＮとＧＳＭ／ＧＰＲＳの機能があるユーザ装置から“見える”ＷＬＡＮアクセスネットワークを介してアクセス可能な在圏ネットワークを選択する方法が備えられる。この方法は、
ユーザ装置が、ＧＳＭ／ＧＰＲＳアクセスネットワークを介して第１の在圏ネットワークにアタッチする工程と、
見えるＷＬＡＮアクセスネットワークから、示されたＷＬＡＮアクセスネットワーク各々を介してアクセス可能な在圏ネットワークのリストを収集する工程と、
ＧＳＭ／ＧＰＲＳアクセスネットワークを介してホームネットワークに、示されたＷＬＡＮアクセスネットワーク各々を介してアクセス可能な在圏ネットワークのリストを提出する工程と、
ＧＳＭ／ＧＰＲＳアクセスネットワークを介してホームネットワークから、示されたＷＬＡＮアクセスネットワーク各々を介してアクセス可能な許された在圏ネットワークのリストを受信する工程と、
ユーザ装置が、ホームネットワークから受信した各ＷＬＡＮアクセスネットワークをベースにした在圏ネットワークのリスト内の在圏ネットワークの中から選択されたＷＬＡＮアクセスネットワークを介して第２の在圏ネットワークにアタッチする工程とを有することを特徴とする。
【００３６】
この方法では、ホームネットワークから在圏ネットワークのリストを受信する工程は、在圏ネットワークのリストから１つの在圏ネットワークを選択する選択基準を受信する工程を含むとよい。さらにその上、第２の在圏ネットワークにアタッチする工程は、ホームネットワークから受信した各ＷＬＡＮアクセスネットワークをベースにした在圏ネットワークのリストに、受信選択基準を適用する工程を含むとよい。もっと正確に言えば、この方法における第２の在圏ネットワークにアタッチする工程は、ホームネットワークから受信した各ＷＬＡＮアクセスネットワークをベースにした在圏ネットワークのリストよりもユーザの好みを適用する工程を含むとよい。本発明のいくつかの実施例によれば、ユーザの好みは、Ｕ−ＳＩＭカードに格納された好ましい在圏ネットワークの何れかのリストを用いて適用されてもよい。
【００３７】
上記エンティティの対応する特徴に足並みをそろえて、この方法はさらに、ホームネットワークに向けて、最新の“ユーザの選択”リストとして格納される、ユーザを特定するユーザアイデンティティと、選択されたＷＬＡＮアクセスネットワークの識別子と、在圏ネットワークの識別子とを登録する工程を有するとよい。
【００３８】
本発明の特徴、目的、及び利点は、添付図面と併せて、以下の説明を読むことにより明らかになるであろう。
【発明を実施するための最良の形態】
【００３９】
以下に好適な実施例をいくつか記述するが、これらの実施例は、ローミングユーザに対して、ホームネットワークオペレータからローミングを許され在圏ネットワークの選択を可能にするメカニズムを提供するものである。この在圏ネットワークは“見える”アクセスネットワークを介してアクセス可能である。
【００４０】
本発明の背後にある重要な側面は、ホームネットワーク（ＨＰＬＭＮ）は、所与の在圏ネットワーク（ＶＰＬＭＮ）がローミングが許されているかどうかを決定するために、その決定が行われる時点で、構成されていなければならないということである。それ故、ホームネットワークのエンティティには、ローミングを許された在圏ネットワーク（ＶＰＬＭＮ、ＶＰＬＭＮ−１、ＶＰＬＭＮ−２）だけを含む好ましいもののリスト（ホワイトリスト）か、ローミングが禁止されている在圏ネットワーク（ＶＰＬＭＮ−３）だけを含むブラックリストか、或いはその両方の組み合わせのリストが備えられてもよい。
【００４１】
特に、その決定の結果がさらなるローミングデータを生み出すこととなり、そのデータが多数の選択基準に基づく在圏ネットワークを選択するためにユーザにより使用されてもよい。例えば、各在圏ネットワークでローミング時になされる通話に適用される異なる通話料金、許された在圏ネットワーク各々からの別の特別料金、或いは、異なる在圏ネットワークとの特定の合意に基づくホームネットワークオペレータからのオペレータの選択などである。それ故、多数の選択基準を作り上げるために必要な追加の全ローミングデータに加えて、許されるか、禁止されるのかの少なくともいずれかの在圏ネットワークのリストは、この明細書では“ローミングサーバ装置”と呼ぶ専用装置（Ｎ−５３）によって取り扱われるとよく、ホームネットワーク（ＨＰＬＭＮ）のオペレータによって、例えば運用維持管理用設備を使用して任意の時に修正されてもよい。
【００４２】
このローミングサーバ装置（Ｎ−５３）は、図２〜図４に示されるように個別のエンティティとして提供されてもよいし、図５に例示されるようにホームロケーションレジスタ（一般に“ＨＬＲ”として知られる）或いはホーム加入者サーバ（一般に“ＨＳＳ”として知られる）などのホームネットワーク（ＨＰＬＭＮ）のエンティティ（Ｎ−５２）に組み込まれてもよい。
【００４３】
主に図５と図６に図示するが図３Ａも関連している、本発明の第１の側面からすれば、ユーザ装置から“見える”いくつかのＧＳＭ／ＧＰＲＳアクセスネットワークを使用するシナリオでは、ユーザは、ＧＳＭ／ＧＰＲＳ機能があるユーザ装置（ＵＥ）を使用する。そのような側面からすれば、ユーザ装置（ＵＥ）の現在の場所で利用可能な潜在的な在圏ネットワーク（ＶＰＬＭＮ−１、ＶＰＬＭＮ−４、ＶＰＬＭＮ−５）と、各特定の在圏ネットワークを介して登録のために考慮されても良い優先順位とを、ユーザ装置（ＵＥ）に知らせるように構成されたメカニズムが提供される。さらに、そのメカニズムは、在圏ネットワーク、或いは、ユーザ装置が提案のメカニズムをサポートするように構成されていない場合、登録の所望の順序を強制するように構成されてもよい。それ故、図５、図６、図３Ａに図示されるように、ユーザ装置（ＵＥ）とのいわゆるアタッチメント手順（Ｐ−１０）の間に、在圏ＧＳＭネットワーク（ＶＰＬＭＮ−１）のＭＳＣ／ＶＬＲ（Ｎ−１１）、或いは、在圏ＧＰＲＳネットワークのＳＧＳＮ（Ｎ−１１）を介して、加入者がネットワークに登録しようとするとき、位置更新手順が、ユーザ装置（ＵＥ）を有する加入者に関する加入者契約を保有するホームＰＬＭＮ（ＨＰＬＭＮ）内のＨＬＲ／ＨＳＳ（Ｎ−５２）に向けて開始される（Ｓ−３０ａ、Ｓ−３５ａ）。
【００４４】
ＨＬＲ／ＨＳＳは、ホームネットワークの各加入者、加入者グループ、或いは全加入者に関して、種々のロケーションで潜在的に利用可能な在圏ネットワークのリスト（ＶＰＬＭＮ−１、ＶＰＬＭＮ−２、ＶＰＬＭＮ−３、ＶＰＬＭＮ−４、ＶＰＬＭＮ−５）を格納する記憶装置を有する。好ましくは、各在圏ネットワークは、選択基準として使用されるかもしれない優先順位の値（Ｐｒｉ）で資格が与えられる。別の実施例では、特定の場所で潜在的に利用可能な在圏ネットワークの優先順位は同様に、在圏ネットワークがリストに現れる順番から暗示的に得られる優先順位を考慮して決定されてもよい。ユーザのロケーションに関して、本発明の一実施例によれば、国コード（ＭＣＣ）と国内宛先コード（ＭＮＤＣ）が、以下の表１に示されるように、ユーザがローミングしている場所を決定するために使用されてもよい。
【００４５】
表１
ロケーション              在圏ネットワーク＋優先順位
ＭＣＣ-1                ＶＰＬＭＮ−１，Ｐｒｉ：１；ＶＰＬＭＮ−２，Ｐｒｉ：２
ＭＣＣ-2、ＭＮＤＣ-1    ＶＰＬＭＮ−３，Ｐｒｉ：１；ＶＰＬＭＮ−４，Ｐｒｉ：２；
ＶＰＬＭＮ−５，Ｐｒｉ：３；
ＭＣＣ-2、ＭＮＤＣ-2    ＶＰＬＭＮ−３，Ｐｒｉ：２；ＶＰＬＭＮ−４，Ｐｒｉ１
【００４６】
本発明の実施例によれば、加入者がＭＳＣ／ＶＬＲ（Ｎ−１０、Ｎ−１１）またはＳＧＳＮ（Ｎ−１０、Ｎ−１１）に登録しようとするとき、位置更新手順が、ホームネットワーク（ＨＰＬＭＮ）のＨＬＲ／ＨＳＳ（Ｎ−５２）に向けて開始される。その手順には、加入者が登録を試みる在圏ネットワーク（ＶＰＬＭＮ−１）の国コード（ＭＣＣ）と国内宛先コード（ＭＮＤＣ）からなる識別を含む。ＨＬＲ／ＨＳＳ或いは実施形としてのローミングサーバ装置（Ｎ−５３）は、加入者に適用可能な好ましい在圏ネットワークのリスト（ＶＰＬＭＮ−１，Ｐｒｉ：１；ＶＰＬＭＮ−２，Ｐｒｉ：２）を選択するために、例えば、国際移動電話加入者識別番号（ＩＭＳＩ）などのユーザＩＤと在圏ネットワーク識別番号（ＭＣＣ−１）とを使用する。
【００４７】
位置更新手順は、図５と図６の実施例の中では、ホームネットワークからの在圏ネットワークを選択する選択基準を適用するサポートがユーザ装置（ＵＥ）にあることをホームネットワークに知らせるために、ユーザ装置（ＵＥ）により設定される示唆を有してもよい。この示唆が含まれていないならば、ＨＬＲ／ＨＳＳは、現在使用中の在圏ネットワーク或いはユーザ装置はこの機能をサポートしないと見なし、その処理は、従来のメカニズムに従って続けられるか、或いは登録の所望の順番を強制するように構成されてもよい。後者の構成は、ユーザ装置において利用可能な基準で位置更新の再試行を強制するため、他の手順のもとで既に存在する“ネットワーク故障”などの適切なリターンコードで位置更新を拒否することにより、ＨＬＲ／ＨＳＳが好ましい在圏ネットワークのリストを送信するのを防ぐ。
【００４８】
しかし、ユーザ装置（ＵＥ）がホームネットワークからの選択基準をサポートする示唆を含んでいたならば、ＨＬＲ／ＨＳＳ（Ｎ−５２）は、位置更新手順内でユーザ装置（ＵＥ）に向けて、ローミングを許された在圏ネットワークのリストと、各在圏ネットワークに関する選択基準として暗示的或いは明示的に与えられる優先順位値（Ｐｒｉ）とで応答する（Ｓ−３５ｂ、Ｓ−３０ｂ）。
【００４９】
ユーザが“位置更新”手順を開始した最初に選択した在圏ネットワーク（ＶＰＬＭＮ−１）がホームネットワーク（ＨＰＬＭＮ）の視点から好ましいネットワークでない場合、位置更新は受け入れられず、失敗の結果は、新しい原因である“ＰＬＭＮが好ましくない”を示し、そして、それに加えて以降で使用する選択基準として優先順位の指示を付けた好ましい在圏ネットワークのリストとともに、ユーザ装置（ＵＥ）に返却されてもよい。好ましくは、前記失敗の結果は一種の拒否メッセージであってもよい。このリストはユーザ装置（ＵＥ）に配信され、ユーザ装置（ＵＥ）は、以降の試行で考慮すべきホームネットワークの好みリストとして、これを格納してもよい。この状況が発生したとき、最初に選択された在圏ネットワーク（ＶＰＬＭＮ−１）は、たとえホームネットワークの好みリストにおいて好適なものでないとしても、禁止されていない在圏ネットワークとして保持される。そうは言うものの、ユーザの好みがホームネットワークオペレータのサービス圏のもとで優先するなら、ホームネットワークオペレータのこの好みはスキップされてもよい。
【００５０】
もし、そのネットワークが新しいエラー“ＰＬＭＮが好ましくない”という理由で位置更新手順（Ｐ−１０）を拒否するなら、ユーザ装置（ＵＥ）は、好ましい在圏ネットワークのリストに示される優先順位に従って、これらの好ましい在圏ネットワークで再試行する。この場合、ＨＬＲ／ＨＳＳは、好ましくない在圏ネットワークについての登録の試みの後で、加入者が好ましい在圏ネットワークのリストについて通知されたことをマークしてもよい。このマークは、設定可能な期間が終了後に消去されてもよい。このマークが設定されている間、さらなる登録の試みは、それらの優先順位に関係なく、そして、ユーザ装置（ＵＥ）はホームネットワークから提供された情報に従って利用可能な在圏ネットワークに登録しようとしていると想定して、受け入れられてもよい。このマークは、登録成功後に消去される。
【００５１】
上記実施例に提示するこの解決策は、これにより、ユーザ装置が選択基準のもとで最適の在圏ネットワークを選択するように、ホームネットワークがそのユーザ装置に向けて好ましい在圏ネットワーク或いは許された在圏ネットワークのリストにこの選択基準を沿えて提出するものであり、類似の欠点を示す他のシナリオにも適用されてもよく、そこでは、その解決策は次の類似の原理を介してさらなる特徴により完結する。
【００５２】
例えば、図２と図４に例示される本発明の実施例では、ユーザは、ＷＬＡＮとＧＳＭ／ＧＰＲＳの機能があるユーザ装置（ＵＥ）を使用する。このシナリオは、例えば、両方の機能を有し“ハンドヘルドコンピュータ”、“パームパイロット”などとしても知られる携帯情報端末（ＰＤＡ）が存在するので現在実現可能であるが、また、例えば、ＵＳＢケーブルなどの物理リンクを使用して、或いはブルートゥース（Bluetooth（登録商標））などのエアリンクを使用して、移動体電話などのＧＳＭ／ＧＰＲＳ機能があるユーザ装置と通信するラップトップなどのＷＬＡＮ機能がある端末を使用して達成されてもよい。
【００５３】
一般的に言えば、図２と図４に例示される実施例は、１つだけのＷＬＡＮアクセスネットワーク（ＷＬＡＮ−ＡＮ）を示しているが、ユーザ装置（ＵＥ）に同時に“見える”１つ以上のＷＬＡＮアクセスネットワークがあってもよい。ＷＬＡＮアクセスネットワークにより、ユーザは、前記ＷＬＡＮアクセスネットワークに接続する在圏ネットワーク（ＶＰＬＭＮ、ＶＰＬＭＮ−２）にアクセスすることが可能になる。
【００５４】
特に図２は、ＷＬＡＮドメインをホストする在圏ネットワーク（ＶＰＬＭＮ）がＧＳＭ／ＧＰＲＳドメインをホストする在圏ネットワークと同じである第１の実施例を示すのに対して、図４は、ＷＬＡＮドメインをホストする在圏ネットワーク（ＶＰＬＭＮ−２）がＧＳＭ／ＧＰＲＳドメインをホストする在圏ネットワーク（ＶＰＬＭＮ−１）と異なる第２の実施例を示している。第１と第２の実施例の違いは、ホームネットワーク（ＨＰＬＭＮ）が各アクセスネットワークを独立に扱い、異なるアクセスネットワーク各々を介してアクセスされる在圏ネットワーク間の相関を実行しないなら、関連が少ないことがある。しかしながら、図２に示す第１の実施例から得られる利点があり、その実施例では、ホームネットワークは、ＷＬＡＮアクセスネットワークを介して選択すべき在圏ネットワークとしてＧＳＭ／ＧＰＲＳアクセスネットワークを介してアクセスされる在圏ネットワーク（ＶＰＬＭＮ）の選択を優先し、この優先順位付けは、ホームネットワークからユーザ装置に向けて提出される選択基準で達成される。
【００５５】
他方、図２と図４に示される実施例は、図３Ａ、図３Ｂ、図３Ｃに提示されるシーケンスフローを参照した方がより良く説明されるかもしれない。これらの図では、追加的な特徴が異なるネットワークエンティティ間を調和して説明され、追加的な利点がネットワーク構成とネットワークオペレータが持っていることのある特定の希望に応じて得られる。
【００５６】
図３Ａに示される動作シーケンスは、ユーザ（ＵＥ）がアンテナと基地局のインフラストラクチャを有するＧＳＭ／ＧＰＲＳアクセスネットワーク（ＧＳＭ／ＧＰＲＳ−ＡＮ）のサービスエリアに入る第１のステップで始まる。ユーザ装置（ＵＥ）は、ＧＳＭ／ＧＰＲＳアタッチメント手順（Ｐ−１０）を実行し、この手順は、ＧＳＭ／ＧＰＲＳアクセスネットワークを所有する在圏ネットワーク（ＶＰＬＭＮ、ＶＰＬＭＮ−１）内のエンティティ（Ｎ−１０、Ｎ−１１）を介して、ユーザのホームネットワーク（ＨＰＬＭＮ）内のエンティティ（Ｎ−５２）に向けた“位置更新”手順を含む。
【００５７】
次いで、１つ以上の利用可能なＷＬＡＮアクセスネットワーク（ＷＬＡＮ−ＡＮ）があることをユーザ装置（ＵＥ）が検出するエリアにユーザが移動し、いわゆるＩＥＥＥアソシエーション手順（Ｐ−２０）の一部として、ユーザ装置（ＵＥ）は、自装置のカバレッジエリアにおいて“見える”ＷＬＡＮアクセスネットワーク各々に関するＷＬＡＮアクセスネットワーク識別子（ＳＳＩＤ）を受信する（Ｓ−１０、Ｓ−１１）。加えて、ユーザ装置（ＵＥ）は、各ＷＬＡＮアクセスネットワークから、ＷＬＡＮアクセスネットワークが直接接続する在圏ネットワークのリスト（ＶＰＬＭＮ、ＶＰＬＭＮ−２、ＶＰＬＭＮ−３）も受信する（Ｓ−１０、Ｓ−１１）。在圏ネットワークの各リストは、各ＷＬＡＮアクセスネットワークにおける、いわゆるローカル“認証、認可、及び課金”（一般に“ＡＡＡ”と略される）サーバ（ローカルＡＡＡ）によって保持される。即ち、ユーザ装置は、各ＷＬＡＮアクセスネットワークから、そのＷＬＡＮアクセスネットワーク識別子とそのようなＷＬＡＮアクセスネットワークを介して接続可能な在圏ネットワークのリストとを受信する反復プロセス（Ｐ−３０）がある。
【００５８】
これらのステップの最後に、図２の実施例に比べて図４に示される最も柔軟な実施例のもとでは、ユーザ装置（ＵＥ）は、次の表２の例示に従って情報を収集してもよい。
【００５９】
表２
ＷＬＡＮ識別子          接続可能な在圏ネットワーク
ＳＳＩＤ−１            ＶＰＬＭＮ−１、ＶＰＬＭＮ−２
ＳＳＩＤ−２            ＶＰＬＭＮ−２、ＶＰＬＭＮ−３
ＳＳＩＤ−３            ＶＰＬＭＮ
【００６０】
一旦、この情報が“見える”ＷＬＡＮアクセスネットワーク（ＷＬＡＮ−ＡＮ）から収集されると、ユーザ装置（ＵＥ）は、ユーザ装置（ＵＥ）が前にアタッチされていたＧＳＭ／ＧＰＲＳネットワーク（ＧＳＭ／ＧＰＲＳ−ＡＮ、ＶＰＬＭＮ−１）を介して、ホームネットワーク（ＨＰＬＭＮ）内のエンティティに向けて、“見える”ＷＬＡＮアクセスネットワーク各々に関し、ＷＬＡＮアクセスネットワーク識別子（ＳＳＩＤ）と、各ＷＬＡＮアクセスネットワークにアクセス可能な在圏ネットワークのリスト（ＶＰＬＭＮ−１、ＶＰＬＭＮ−２：ＳＳＩＤ−１）（ＶＰＬＭＮ−２、ＶＰＬＭＮ−３：ＳＳＩＤ−２）（ＶＰＬＭＮ：ＳＳＩＤ−３）を送信してもよい（Ｓ−１２、Ｓ−１３、Ｓ−１４）。それ故に、異なるメカニズムをこれらのデータの伝送のために用いることができる。
【００６１】
図２と図４に示す両方の実施例で使用される第１の代表的なメカニズムは、ショートメッセージサービス（ＳＭＳ）の使用であり、それによってショートメッセージがユーザ装置から送信され（Ｓ−１２）、在圏ネットワーク内のＧＳＭ／ＧＰＲＳドメインを担当するエンティティ（Ｎ−１０、Ｎ−１１）で受信され、そこからホームネットワーク内のいわゆるＳＭＳサービスセンタ（一般にＳＭＳ−ＳＣと略される）（Ｎ−５１）に向けて転送される（Ｓ−１３）。この第１のメカニズムは、図２と図４の両方の実施例に関して有効であり、ＧＰＲＳアクセスネットワークとＧＰＲＳ在圏ネットワークに加えて、とりわけＧＳＭアクセスネットワークとＧＳＭ在圏ネットワークに関して有効である。より具体的には、おそらく在圏ロケーションレジスタ（ＶＬＲ）と結合している移動体交換センタ（ＭＳＣ）は、ＧＳＭ在圏ネットワーク（ＶＰＬＭＮ、ＶＰＬＭＮ−１）内でショートメッセージを受信し、それをＳＭＳサービスセンタ（Ｎ−５１）に転送するエンティティ（Ｎ−１０、Ｎ−１１）である。それに対して、サービングＧＰＲＳサポートノード（ＳＧＳＮ）は、ＧＰＲＳ在圏ネットワーク（ＶＰＬＭＮ、ＶＰＬＭＮ−１）でショートメッセージを受信し、それをＳＭＳサービスセンタ（Ｎ−５１）に転送するエンティティ（Ｎ−１０、Ｎ−１１）である。
【００６２】
図２と図４に示す両方の実施例で用いられる第２の代表的なメカニズムは、ＧＰＲＳアクセスネットワークとＧＰＲＳ在圏ネットワークに対するハイパーテキスト転送プロトコル（一般に“ＨＴＴＰ”と略される）の使用である。また、図２と図４の両方の実施例で用いられる第３の代表的なメカニズムは、ＧＳＭアクセスネットワークとＧＳＭ在圏ネットワークに対する非構造付加サービスデータメッセージ（一般に“ＵＳＳＤ（Unstructured Supplementary Service Data）”と略される）の使用である。
【００６３】
既に説明した本発明の他の側面からすれば、ローミングサーバ装置（Ｎ−５３）は、“見える”ＷＬＡＮアクセスネットワーク（ＷＬＡＮ−ＡＮ）各々に接続可能な在圏ネットワークのリスト（ＶＰＬＭＮ、ＶＰＬＭＮ−２）とＷＬＡＮアクセスネットワーク識別子（ＳＳＩＤ）をホームネットワーク（ＨＰＬＭＮ）で最終的に受信する（Ｓ−１４）エンティティであってもよい。この点に関して、ローミングサーバ装置（Ｎ−５３）は、ショートメッセージでユーザ装置（ＵＥ）から提出されるこの情報を、ＳＭＳサービスセンタ（Ｎ−５１）から受信（Ｓ−１４）してもよいし、或いは、ＨＴＴＰ又はＵＳＳＤでユーザ装置（ＵＥ）から提出されるこの情報を転送する（Ｓ−１３ｂｉｓ）、在圏ネットワーク（ＶＰＬＭＮ、ＶＰＬＭＮ−１）内のエンティティ（Ｎ−１０、Ｎ−１１）から直接受信してもよい。
【００６４】
所与の在圏ネットワーク（ＶＰＬＭＮ、ＶＰＬＭＮ−１、ＶＰＬＭＮ−２、ＶＰＬＭＮ−３）がローミングを許されているか否かを判定するホームネットワーク（ＨＰＬＭＮ）の構成に関して、この目的のために種々の実施例が備えられる。これらの実施例の第１の実施例では、図５に示すように、ローミングサーバ装置（Ｎ−５３）は、ホームロケーションレジスタ（ＨＬＲ）やおそらくホーム加入者サーバ（ＨＳＳ）のような、ホームネットワーク（ＨＰＬＭＮ）内の加入者データの取り扱いを担当するホームエンティティ（Ｎ−５２）内部の一部分である。この場合、許された在圏ネットワークのリストと禁止された在圏ネットワークのリストとの内の少なくともいずれかは、所与の在圏ネットワーク（ＶＰＬＭＮ、ＶＰＬＭＮ−１、ＶＰＬＭＮ−２、ＶＰＬＭＮ−３）が許されているか否かの判定を実行するホームエンティティ（Ｎ−５２）の中に常駐すると良い。
【００６５】
これらの実施例の第２の実施例では、ローミングサーバ装置（Ｎ−５３）は、ローミング情報、即ち、ショートメッセージによる“見える”ＷＬＡＮアクセスネットワーク（ＷＬＡＮ−ＡＮ）各々に接続可能な在圏ネットワークのリスト（ＶＰＬＭＮ、ＶＰＬＭＮ−２）とＷＬＡＮアクセスネットワーク識別子（ＳＳＩＤ）とを受信するＳＭＳサービスセンタ（Ｎ−５１）に接続可能な個別装置であり、ＨＴＴＰによるローミング情報を受信するサービングＧＰＲＳサポートノード（ＳＧＳＮ）（Ｎ−１０、Ｎ−１１）に接続可能な個別装置であり、ＵＳＳＤによるローミング情報を受信する移動体交換センタ（ＭＳＣ）（Ｎ−１０、Ｎ−１１）に接続可能な個別装置であり、要求に応じて、所与のユーザに対する許された在圏ネットワークのリストを受信するため、ホームロケーションレジスタ（ＨＬＲ）やホーム加入者サーバ（ＨＳＳ）などの、ホームネットワーク（ＨＰＬＭＮ）内の加入者データの取り扱いを担当するホームエンティティ（Ｎ−５２）に接続可能な個別装置である。
【００６６】
これらの実施例の第３の実施例では、ローミングサーバ装置（Ｎ−５３）は、ホームエンティティ（Ｎ−５２）内部の一部として動作するように構成され、従って、所与のユーザに対する許された在圏ネットワークのリストを受信するための外部接続を必要としないか、或いは、あるいは個別のエンティティとして動作するように構成され、この場合、ホームエンティティ（Ｎ−５２）への外部接続が、所与のユーザに対する許された在圏ネットワークのリストを受信するために使用されるか、或いはローミングサーバが全ユーザに対する許された在圏ネットワークの前記リストを所有するように設定可能な装置であり、或いは、ＳＭＳサービスセンタ（Ｎ−５１）、サービングＧＰＲＳサポートノード（ＳＧＳＮ）（Ｎ−１０、Ｎ−１１）、及び、移動通信交換局（ＭＳＣ）（Ｎ−１０、Ｎ−１１）の少なくとも１つのエンティティに接続されるように構成される設定可能な装置である。
【００６７】
図３Ａに示すシーケンスは、これらの実施例の第２の実施例を扱っており、ローミングサーバ装置（Ｎ−５３）は、ホームエンティティ（Ｎ−５２）への外部接続が設けられた個別装置である。この段階で、ローミングサーバ装置（Ｎ−５３）は、ホームエンティティ（Ｎ−５２）に指示されたユーザに対する許された在圏ネットワークのリスト（ＶＰＬＭＮ、ＶＰＬＭＮ−１、ＶＰＬＭＮ−２）を送信する（Ｓ−１６）ように要求するとよい（Ｓ−１５）。このホームエンティティ（Ｎ−５２）はＨＬＲ／ＨＳＳであると想定すると、ホームエンティティ（Ｎ−５２）とローミングサーバ装置（Ｎ−５３）との間の外部接続は、３ＧＰＰ  ＴＳ  ２９．３２８（非特許文献１）に記載されており、ＨＬＲ／ＨＳＳとアプリケーションサーバとの間の通信が意図されている所謂“Ｓｈ”インタフェースにより実行される。従って、ローミングサーバ装置は、アプリケーションサーバと見なされる。
【００６８】
一旦、ローミングサーバ装置（Ｎ−５３）が指示されたユーザに対して許された在圏ネットワークのリスト（ＶＰＬＭＮ、ＶＰＬＭＮ−１、ＶＰＬＭＮ−２）を有すると、ローミングサーバ装置はユーザ装置（ＵＥ）から受信したあらゆるリストを分析する。それらのリストは、示されたＷＬＡＮアクセスネットワークを介してアクセス可能な在圏ネットワーク（ＶＰＬＭＮ、ＶＰＬＭＮ−１、ＶＰＬＭＮ−２、ＶＰＬＭＮ−３）がローミングを許されるか否かを判定するために、“見える”ＷＬＡＮアクセスネットワーク（ＷＬＡＮ−ＡＮ）のローカルＡＡＡサーバ（Ｎ−３０）から収集されたものである。
【００６９】
それ故、図３Ｂに示す動作シーケンスが実行されるとよく、ローミングサーバ装置（Ｎ−５３）は、ユーザ装置から受信したリスト各々に対して、以下の動作（Ｐ−４０）のいずれかを実行するとよい。即ち、
ユーザ装置（ＵＥ）から受信した全リストから、ローミングが禁止されていることがわかった在圏ネットワーク（ＶＰＬＭＮ−３）を削除することと、
所与のＷＬＡＮアクセスネットワーク（ＷＬＡＮ−ＡＮ）がホームネットワーク（ＨＰＬＭＮ）に直接接続を有するなら、ホームネットワークは、所与のＷＬＡＮアクセスネットワークに関して作成されるリスト（以後“ユーザの選択”リストと呼ぶ）の第１位に置かれ、ユーザのホームネットワークであることを強調する特別のマークを付けることと、
本発明の一側面に関して前の実施例で既に説明したように、最高の優先順位を有する在圏ネットワークを第１位に置くか、或いは、各在圏ネットワークに対する優先順位値を含めることにより、ユーザの選択リストに優先順位を付けることと、
許された各ＷＬＡＮアクセスネットワークをベースにして、ユーザの選択リストに優先順位を付けることと、
ユーザ或いはオペレータにより設定される、例えば、価格や他のサービスなどの任意の他の順番でユーザの選択リストに優先順位を付けることである。
【００７０】
このようにして作成されたユーザの選択リストは、ホームネットワーク（ＨＰＬＭＮ、Ｎ−５２、Ｎ−５３）からユーザ装置（ＵＥ）に対して提出される（Ｓ−１７、Ｓ−１８、Ｓ−１９）。本発明の一実施例によれば、ユーザの選択リストは、ホームネットワークのＳＭＳサービスセンタ（Ｎ−５１）で受信されるショートメッセージを用いて提出され（Ｓ−１７）、ＧＳＭ／ＧＰＲＳドメインを担当する在圏ネットワーク内のエンティティ（Ｎ−１０、Ｎ−１１）を介してユーザ装置（ＵＥ）に向けてさらに転送される（Ｓ−１８、Ｓ−１９）。ユーザ装置からの元のリストの受信に関して、ユーザ装置に向けたユーザの選択リストの提出は、ＧＰＲＳアクセスネットワークと在圏ネットワークによりＨＴＴＰで実行されてもよいし、或いは、ＧＳＭアクセスネットワークと在圏ネットワークによりＵＳＳＤで実行されてもよい。
【００７１】
ホームネットワーク（ＨＰＬＭＮ）からのユーザの選択リストをユーザ装置で受信時、ユーザ装置（ＵＥ）は、自動モードに設定されている場合、そのユーザ自身についての選択リストよりも、Ｕ−ＳＩＭカード（Ｐ−５０）に格納された好ましい在圏ネットワークの何らかのリストの好みをさらに適用してもよいし、ユーザ装置がマニュアルモードに設定されている場合、ユーザにさらなる好み（Ｐ−６０）の適用について伝えてもよい。
【００７２】
例えば、ＷＬＡＮアクセスネットワークを介してアクセスされたとき、ＶＰＬＭＮ−３は、ホームネットワークによってローミングが禁止されていることがわかり、ＶＰＬＭＮ−１は、ホームネットワークによってローミングが許されていないことがわかった場合、ユーザ装置で受信したユーザの選択リストは、以下の表３に従う情報を有するだろう。
【００７３】
表３
ＷＬＡＮ識別子          許された在圏ネットワーク
ＳＳＩＤ−１            −−−−−−−、ＶＰＬＭＮ−２
ＳＳＩＤ−２            ＶＰＬＭＮ−２、−−−−−−−
ＳＳＩＤ−３            ＶＰＬＭＮ
【００７４】
自動モードに設定されているときのユーザ装置（ＵＥ）、或いはマニュアルモードに設定されているときのユーザは、各在圏ネットワークをベースに受信される他の情報、即ち、選択のための価格や優先順位などのホームネットワークから受信されたかもしれない選択基準、Ｕ−ＳＩＭカードに格納された他の何らかの情報、及び、個人的領域に属する他の情報を考慮に入れて、ホームネットワーク（ＨＰＬＭＮ）から受信したユーザの選択リストよりも、更なる選択を実行してもよい。
【００７５】
ホームネットワークからのユーザの選択リストによりそのように許されるなら、ユーザ装置とユーザとの内の少なくともいずれによって、或いは、ホームネットワークからのユーザの選択リストが選択に交渉の余地のない優先順位を提示するときにはネットワークによって、一旦選択が行われると、ユーザ装置は、選択されたＷＬＡＮアクセスネットワークにアタッチする（Ｐ−７０）。それ故、図３Ｃが示すように、ユーザ装置は、両方ともＷＬＡＮアクセスネットワーク内にあるが簡単にするために図２と図４に描かれてはいないアクセスポイント（ＡＰ）を介してローカルＡＡＡ（Ｎ−３０）に向けて、ユーザアイデンティティ（ユーザＩＤ）とともに選択された在圏ネットワーク（ＶＰＬＭＮ、ＶＰＬＭＮ−２）を提出する（Ｓ−２０、Ｓ−２１）登録手段を備える。次いで、ローカルＡＡＡ（Ｎ−３０）は、選択された在圏ネットワーク（ＶＰＬＭＮ、ＶＰＬＭＮ−２）のＡＡＡプロキシ（Ｎ−２０、Ｎ−２２）にユーザを登録し（Ｓ−２２）、ＡＡＡプロキシは、ユーザアイデンティティと選択された在圏ネットワークの識別子とを、ホームネットワーク内にありユーザ認証の開始（Ｐ８０）を担当するＡＡＡサーバ（Ｎ−５４）に提出する。次いで、ユーザ認証は、ユーザ装置（ＵＥ）、ＡＡＡサーバ（Ｎ−５４）、及びローミングサーバ装置（Ｎ−５３）を含むこともあるし、或いは、含まないこともあるＨＬＲ／ＨＳＳ（Ｎ−５２）が関与して実行される（Ｐ−９０）。
【００７６】
図３Ｃに図示されるこの動作シーケンスに関して、ユーザ装置は、ユーザアイデンティティ（ユーザＩＤ）と選択された在圏ネットワーク（ＶＰＬＭＮ、ＶＰＬＭＮ−２）とは別に、ＷＬＡＮアクセスネットワークの識別子（ＳＳＩＤ）をローカルＡＡＡ（Ｎ−３０）に向けて提出してもよい（Ｓ−２０、Ｓ−２１）。この識別子（ＳＳＩＤ）は、在圏ネットワーク内のＡＡＡプロキシ（Ｎ−２０、Ｎ−２２）を介して、ホームネットワーク内のＡＡＡサーバ（Ｎ−５４）に到着する（Ｓ−２３）まで、前述のローカルＡＡＡ（Ｎ−３０）からの提出（Ｓ−２２）において、ユーザアイデンティティ（ユーザＩＤ）と選択された在圏ネットワーク（ＶＰＬＭＮ、ＶＰＬＭＮ−２）と一緒に含まれてもよい。
【００７７】
ホームネットワーク（Ｎ−５４）でユーザアイデンティティ（ユーザＩＤ）、選択された在圏ネットワーク（ＶＰＬＭＮ、ＶＰＬＭＮ−２）、及び、ＷＬＡＮアクセスネットワークの識別子（ＳＳＩＤ）が受信される特定の実施例のもとでは、次いで、一旦認証プロセスが上述のように完了すると、ホームネットワークのＡＡＡサーバ（Ｎ−５４）は、最新のユーザの選択リストとして更なる使用のため、ローミングサーバ装置（Ｎ−５３）或いは実施形としてはあるかもしれないＨＬＲ／ＨＳＳ（Ｎ−５２）に格納されることになるユーザアイデンティティ（ユーザＩＤ）、選択された在圏ネットワーク（ＶＰＬＭＮ、ＶＰＬＭＮ−２）、及び、ＷＬＡＮアクセスネットワークの識別子（ＳＳＩＤ）を、ローミングサーバ装置（Ｎ−５３）に向けて提出（Ｓ−２４）することができる。ユーザアイデンティティ（ユーザＩＤ）と選択された在圏ネットワーク（ＶＰＬＭＮ、ＶＰＬＭＮ−２）とＷＬＡＮアクセスネットワークの識別子（ＳＳＩＤ）とを格納するために、ホームネットワークから許されたか、或いは、ホームネットワークにより好ましいとされた在圏ネットワークの更なる選択は、うまく単純化される。
【００７８】
この点に関して、そして、更なる利点として、ユーザ装置は、選択有効期限タイマ値も設定してもよい。どの図面にも示されていない別の実施例によれば、選択有効期限タイマ値は、ユーザ装置からローミングサーバ装置（Ｎ−５３）に向けて、ユーザアイデンティティ（ユーザＩＤ）、選択された在圏ネットワーク（ＶＰＬＭＮ、ＶＰＬＭＮ−２）、及びＷＬＡＮアクセスネットワークの識別子（ＳＳＩＤ）と一緒に提出されてもよく（Ｓ−２０、Ｓ−２１、Ｓ−２２、Ｓ−２３、Ｓ−２４）、それにより、最近格納されたユーザの選択リストがこの選択有効期限の期間終了時に消去されてもよいようにする。
【００７９】
上記のように、本発明について、例示的で非限定的に、いくつかの実施例に関して説明した。明らかに、変形例やこれらの実施例の組み合わせが、上記の教示に照らして可能であり、請求の範囲内に入る実施例のいかなる変更もその中に含まれることが意図されている。
【図面の簡単な説明】
【００８０】
【図１】ＷＬＡＮネットワークを介して３ＧＰＰネットワークにアクセスするための、現存する相互動作するアーキテクチャを示す基本ブロック図である。
【図２】ＷＬＡＮドメインとＧＳＭ／ＧＰＲＳドメインとを含む許された在圏ネットワークと通信するＧＳＭ／ＧＰＲＳアクセスネットワークとＷＬＡＮアクセスネットワークとを介して、ユーザがどのようにホームネットワークにアクセスしてよいかを示す基本ブロック図である。
【図３Ａ】、
【図３Ｂ】、
【図３Ｃ】ユーザの端末装置が、どのように、“見える”ＷＬＡＮアクセスネットワーク各々から、各ＷＬＡＮアクセスネットワークを介してアクセス可能な在圏ネットワークのリストを収集し、ホームネットワークに向けて各ＷＬＡＮアクセスネットワークの在圏ネットワークのこれらリストを送信し、ホームネットワークからローミングを許された在圏ネットワークの最終リストを受信するかを説明する基本シグナリングフローを示す図である。
【図４】図２に示すのと同様のシナリオを示す基本図であり、ＧＳＭ／ＧＰＲＳアクセスネットワークは第１の在圏ネットワークに接続され、ＷＬＡＮアクセスネットワークは第２の在圏ネットワークに接続され、両方の在圏ネットワークはそれぞれ、ＧＳＭ／ＧＰＲＳアクセスネットワークとＷＬＡＮアクセスネットワークとを介したローミングが許されているのに対して、第３の在圏ネットワークはローミングが許されていない様子を示している。
【図５】適用可能な選択基準を有する許されたアクセスネットワークのリストをホームネットワークから受信するために、複数の“見える”ＧＳＭ／ＧＰＲＳアクセスネットワークの中の１つを介して、ユーザがどのようにホームネットワークにアクセスしてよいかを示す基本図である。
【図６】ユーザが加入者であるネットワークへ、ユーザ装置のアタッチメントに含まれる位置更新手順を説明する基本シグナリングフロー図である。
【図１】
2008544596.tif 000003
【図２】
2008544596.tif 000004
【図３Ａ】
2008544596.tif 000005
【図３Ｂ】
2008544596.tif 000006
【図３Ｃ】
2008544596.tif 000007
【図４】
2008544596.tif 000008
【図５】
2008544596.tif 000009
【図６】
2008544596.tif 000010
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
ＧＳＭ／ＧＰＲＳドメインとＷＬＡＮドメインとを有するホームネットワーク（ＨＰＬＭＮ）の加入者であるユーザの音声及びデータ通信のためのユーザ装置（ＵＥ）であって、
ＧＳＭ／ＧＰＲＳアクセスネットワーク（ＧＳＭ／ＧＰＲＳ−ＡＮ）を介してアタッチする（Ｐ−１０）第１の在圏ネットワーク（ＶＰＬＭＮ）を選択する第１のアタッチ手段と、
“見える”ＷＬＡＮアクセスネットワーク（ＳＳＩＤ−１，ＳＳＩＤ−２，ＳＳＩＤ−３）から、示されたＷＬＡＮアクセスネットワーク各々を介してアクセス可能な在圏ネットワーク（ＶＰＬＭＮ；ＶＰＬＭＮ−２）のリストを収集する手段と、
前記ＧＳＭ／ＧＰＲＳアクセスネットワークを介して前記ホームネットワーク（ＨＰＬＭＮ）へ、示されたＷＬＡＮアクセスネットワーク（ＳＳＩＤ−１：ＶＰＬＭＮ−１，ＶＰＬＭＮ−２；ＳＳＩＤ−２：ＶＰＬＭＮ−２，ＶＰＬＭＮ−３；ＳＳＩＤ−３：ＶＰＬＭＮ）を介してアクセス可能な在圏ネットワークのリストを提出する手段と、
前記ＧＳＭ／ＧＰＲＳアクセスネットワークを介して前記ホームネットワーク（ＨＰＬＭＮ）から、示されたＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）を介してアクセス可能な許された在圏ネットワークのリストを受信する手段と、
前記ホームネットワークから受信した各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）をベースとした在圏ネットワークのリスト内の在圏ネットワークから選択されたＷＬＡＮアクセスネットワーク（ＷＬＡＮ−ＡＮ）を介して第２の在圏ネットワーク（ＶＰＬＭＮ−２）にアタッチする（Ｐ−７０）第２のアタッチ手段とを有することを特徴とするユーザ装置（ＵＥ）。
【請求項２】
前記第２のアタッチ手段は、前記受信した選択基準を適用することにより、前記ホームネットワークから受信した許された在圏ネットワークのリスト（ＶＰＬＭＮ，ＶＰＬＭＮ−１，ＶＰＬＭＮ−４，ＶＰＬＭＮ−５）内のネットワークの中からアタッチする第２の在圏ネットワーク（ＶＰＬＭＮ−１）を選択することを特徴とする請求項１に記載のユーザ装置（ＵＥ）。
【請求項３】
前記選択基準（Ｐｒｉ）は、前記ホームネットワークにより決定され、前記ローミングが許された在圏ネットワークがリストされた順番により暗示的に表わされた選択優先順位の基準を含むことを特徴とする請求項１に記載のユーザ装置（ＵＥ）。
【請求項４】
前記ローミングが許された在圏ネットワークのリストを受信するためにアタッチされた前記第１の在圏ネットワーク（ＶＰＬＭＮ）は、禁止されていない在圏ネットワークとして維持されることを特徴とする請求項１に記載のユーザ装置（ＵＥ）。
【請求項５】
前記ホームネットワーク（ＨＰＬＭＮ）から受信した許された在圏ネットワークのリスト（“ユーザの選択”リスト）は、示されたＷＬＡＮアクセスネットワーク各々（ＳＳＩＤ−１：ＶＰＬＭＮ−２；ＳＳＩＤ−２：ＶＰＬＭＮ−２；ＳＳＩＤ−３：ＶＰＬＭＮ）を介して、前記ローミングが許された在圏ネットワークを示すために、各ＷＬＡＮアクセスネットワーク（ＷＬＡＮ−ＡＮ）をベースにして構成されることを特徴とする請求項１に記載のユーザ装置（ＵＥ）。
【請求項６】
前記第２の在圏ネットワーク（ＶＰＬＭＮ−２）を選択する第２のアタッチ手段は、前記受信された選択基準を適用することにより、前記ホームネットワークから受信した各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）をベースにした許された在圏ネットワークのリスト内のＷＬＡＮアクセスネットワークの間でＷＬＡＮアクセスネットワーク（ＷＬＡＮ−ＡＮ）にアタッチする（Ｐ−７０）手段を有することを特徴とする請求項５に記載のユーザ装置（ＵＥ）。
【請求項７】
前記ホームネットワーク（ＨＰＬＭＮ）から受信した許された在圏ネットワークのリスト（“ユーザの選択”リスト）よりも、前記ユーザ（Ｐ−６０）に対して、ユーザの好みの適用をユーザに通知する手段と、
前記各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）をベースとした許された在圏ネットワークのリスト内のＷＬＡＮアクセスネットワークの間で、ユーザがＷＬＡＮアクセスネットワーク（ＷＬＡＮ−ＡＮ）を選択する手段とをさらに有することを特徴とする請求項５に記載のユーザ装置（ＵＥ）。
【請求項８】
前記ホームネットワーク（ＨＰＬＭＮ）から受信した許された在圏ネットワークのリスト（“ユーザの選択”リスト）よりもユーザの好みを適用する手段をさらに有し、
前記適用されるユーザの好みは、Ｕ−ＳＩＭカード（Ｐ−５０）に格納された好みの在圏ネットワークのリストいずれかにあることを特徴とする請求項５に記載のユーザ装置（ＵＥ）。
【請求項９】
前記ホームネットワークに向けて、前記ユーザを特定するユーザアイデンティティ（Ｕｓｅｒ−ＩＤ）と、前記選択されたＷＬＡＮアクセスネットワーク（ＳＳＩＤ−１）の識別子と在圏ネットワーク（ＶＰＬＭＮ−２）識別子とを提出する登録手段（Ｓ−２０，Ｓ−２１，Ｓ−２２，Ｓ−２３）をさらに有することを特徴とする請求項６に記載のユーザ装置（ＵＥ）。
【請求項１０】
前記登録手段は、前記ホームネットワークに向けて選択有効期限タイマ値を提出する手段を含むことを特徴とする請求項９に記載のユーザ装置（ＵＥ）。
【請求項１１】
ＧＳＭ／ＧＰＲＳドメインを含むホームネットワーク（ＨＰＬＭＮ）の加入者であるローミングユーザのユーザ装置（ＵＥ）に向けて、在圏ネットワーク（ＶＰＬＭＮ，ＶＰＬＭＮ−１，ＶＰＬＭＮ−２，ＶＰＬＭＮ−３，ＶＰＬＭＮ−４，ＶＰＬＭＮ−５）を選択する選択基準を前記ホームネットワークから提供するローミングサーバ装置（Ｎ−５３）であって、
前記ローミングサーバ装置は、
ＧＳＭ／ＧＰＲＳアクセスネットワークを介して、示されたＷＬＡＮアクセスネットワーク（ＳＳＩＤ−１：ＶＰＬＭＮ−１，ＶＰＬＭＮ−２；ＳＳＩＤ−２：ＶＰＬＭＮ−２，ＶＰＬＭＮ−３；ＳＳＩＤ−３：ＶＰＬＭＮ）各々を介してアクセス可能な在圏ネットワークのリストを受信する手段と、
示された在圏ネットワークがローミングユーザにアタッチすることが許されているかどうかを判定する判定手段と、
前記ユーザ装置（ＵＥ）に向けて、前記ＧＳＭ／ＧＰＲＳアクセスネットワークを介して、在圏ネットワークを選択するための選択基準（Ｐｒｉ）とともに、示されたＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）各々を介してアクセス可能な許された在圏ネットワークのリストを提出する手段とを有することを特徴とするローミングサーバ装置（Ｎ−５３）。
【請求項１２】
前記判定手段は、各ロケーション（ＭＣＣ，ＭＮＤＣ）をベースにして前記ユーザがアクセス可能な在圏ネットワークのリスト（ＶＰＬＭＮ，ＶＰＬＭＮ−１，ＶＰＬＭＮ−２，ＶＰＬＭＮ−４，ＶＰＬＭＮ−５）を取得する手段を含むことを特徴とする請求項１１に記載のローミングサーバ装置（Ｎ−５３）。
【請求項１３】
前記選択基準（Ｐｒｉ）は、パラメータ値（Ｐｒｉ）により明示的に表わされたか、或いは、前記ローミングが許された在圏ネットワークがリストされる順番で暗示的に表わされた選択優先順位の基準を含むことを特徴とする請求項１１に記載のローミングサーバ装置（Ｎ−５３）。
【請求項１４】
各ロケーション（ＭＣＣ，ＭＮＤＣ）に対する在圏ネットワークのリスト（ＶＰＬＭＮ−１，ＶＰＬＭＮ−２，ＶＰＬＭＮ−４，ＶＰＬＭＮ−５）のための記憶装置をさらに有し、
各在圏ネットワークが選択優先順位（Ｐｒｉ）と共に格納されることを特徴とする請求項１３に記載のローミングサーバ装置（Ｎ−５３）。
【請求項１５】
示されたＷＬＡＮアクセスネットワーク各々を介してアクセス可能な在圏ネットワークの前記受信リストから、ローミングが禁止されていることが見出された在圏ネットワーク（ＶＰＬＭＮ−３）を削除する手段と、
ローミングが許された在圏ネットワークの最終リスト（ユーザの選択リスト）を作り上げるために、前記ホームネットワークオペレータにより設定された優先順位のもとで、各許されたＷＬＡＮアクセスネットワークをベースとして前記許された在圏ネットワークに優先順位を付ける手段とをさらに有することを特徴とする請求項１１に記載のローミングサーバ装置（Ｎ−５３）。
【請求項１６】
前記ユーザ装置（ＵＥ）から、前記ユーザを特定するユーザアイデンティティ（Ｕｓｅｒ−ＩＤ）と、選択されたＷＬＡＮアクセスネットワーク（ＳＳＩＤ−１）の識別子と、在圏ネットワーク（ＶＰＬＭＮ，ＶＰＬＭＮ−２）の識別子とを受信する手段（Ｓ−２０，Ｓ−２１，Ｓ−２２，Ｓ−２３，Ｓ−２４）と、
最新の“ユーザの選択”リストとして、前記ユーザアイデンティティ（Ｕｓｅｒ−ＩＤ）、前記選択された在圏ネットワーク（ＶＰＬＭＮ，ＶＰＬＭＮ−２）、及び、前記ＷＬＡＮアクセスネットワークの識別子（ＳＳＩＤ）を格納する手段とをさらに有することを特徴とする請求項１５に記載のローミングサーバ装置（Ｎ−５３）。
【請求項１７】
前記ユーザ装置から選択有効期限タイマ値を受信する手段と、
前記選択有効期限タイマ値の期限切れの時、前記最新の“ユーザの選択”リストを消去する手段とをさらに有することを特徴とする請求項１１に記載のローミングサーバ装置（Ｎ−５３）。
【請求項１８】
ホームネットワークの各加入者についての加入契約を保持するホームネットワークエンティティ（Ｎ−５２，ＨＬＲ，ＨＳＳ）であって、
請求項１１に記載のローミングサーバ装置を有することを特徴とするホームネットワークエンティティ。
【請求項１９】
ＧＳＭ／ＧＰＲＳドメインとＷＬＡＮドメインを有するホームネットワーク（ＨＰＬＭＮ）の加入者であるローミングユーザのユーザ装置（ＵＥ）により、“見える”ＷＬＡＮアクセスネットワーク（ＳＳＩＤ−１，ＳＳＩＤ−２，ＳＳＩＤ−３）を介してアクセス可能な在圏ネットワーク（ＶＰＬＭＮ，ＶＰＬＭＮ−１，ＶＰＬＭＮ−２，ＶＰＬＭＮ−３，ＶＰＬＭＮ−４，ＶＰＬＭＮ−５）を選択する方法であって、前記方法は、
前記ユーザ装置（ＵＥ）が、ＧＳＭ／ＧＰＲＳアクセスネットワーク（ＧＳＭ／ＧＰＲＳ−ＡＮ）を介して第１の在圏ネットワーク（ＶＰＬＭＮ，ＶＰＬＭＮ−１）にアタッチする（Ｐ−１０）工程と、
前記“見える”ＷＬＡＮアクセスネットワーク（ＳＳＩＤ−１，ＳＳＩＤ−２，ＳＳＩＤ−３）から、示されたＷＬＡＮアクセスネットワーク各々を介してアクセス可能な在圏ネットワーク（ＶＰＬＭＮ；ＶＰＬＭＮ−２）のリストを収集する工程と、
前記ＧＳＭ／ＧＰＲＳアクセスネットワークを介して前記ホームネットワーク（ＨＰＬＭＮ）に、示されたＷＬＡＮアクセスネットワーク（ＳＳＩＤ−１：ＶＰＬＭＮ−１，ＶＰＬＭＮ−２；ＳＳＩＤ−２：ＶＰＬＭＮ−２，ＶＰＬＭＮ−３；ＳＳＩＤ−３：ＶＰＬＭＮ）各々を介してアクセス可能な在圏ネットワークのリストを提出する工程と、
前記ＧＳＭ／ＧＰＲＳアクセスネットワークを介して前記ホームネットワーク（ＨＰＬＭＮ）から、示されたＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）各々を介してアクセス可能な許された在圏ネットワークのリストを受信する工程と、
前記ユーザ装置（ＵＥ）が、前記ホームネットワークから受信した各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ）をベースとした在圏ネットワークのリスト内の在圏ネットワークから選択されたＷＬＡＮアクセスネットワーク（ＷＬＡＮ−ＡＮ）を介して第２の在圏ネットワーク（ＶＰＬＭＮ−２）にアタッチする（Ｐ−７０）工程とを有することを特徴とする方法。
【請求項２０】
前記ホームネットワーク（ＨＰＬＭＮ）から在圏ネットワークのリストを受信する工程は、在圏ネットワークのリストから１つの在圏ネットワークを選択する選択基準を受信する工程を含むことを特徴とする請求項１９に記載の方法。
【請求項２１】
前記第２の在圏ネットワーク（ＶＰＬＭＮ−２）にアタッチする工程は、前記ホームネットワークから受信した各ＷＬＡＮアクセスネットワーク（ＳＳＩＤ−１：ＶＰＬＭＮ−２；ＳＳＩＤ−２：ＶＰＬＭＮ−２；ＳＳＩＤ−３：ＶＰＬＭＮ；“ユーザの選択”リスト）をベースとした許された在圏ネットワークのリストに、前記受信した選択基準を適用する工程を含むことを特徴とする請求項２０に記載の方法。
【請求項２２】
前記第２の在圏ネットワーク（ＶＰＬＭＮ−２）にアタッチする工程は、前記ホームネットワーク（ＨＰＬＭＮ）から受信した各ＷＬＡＮアクセスネットワークをベースにした許された在圏ネットワークのリスト（ＳＳＩＤ−１：ＶＰＬＭＮ−２；ＳＳＩＤ−２：ＶＰＬＭＮ−２；ＳＳＩＤ−３：ＶＰＬＭＮ；“ユーザの選択”リスト）よりもユーザの好みを適用する工程を有し、
前記適用されるユーザの好みは、Ｕ−ＳＩＭカード（Ｐ−５０）に格納された好ましい在圏ネットワークの何らかのリストにあることを特徴とする請求項１９に記載の方法。
【請求項２３】
前記ホームネットワークに向けて、最新の“ユーザの選択”リストとして格納される、前記ユーザを特定するユーザアイデンティティ（Ｕｓｅｒ−ＩＤ）と、選択されたＷＬＡＮアクセスネットワーク（ＳＳＩＤ−１）の識別子と、在圏ネットワーク（ＶＰＬＭＮ−２）の識別子とを登録する（Ｓ−２０，Ｓ−２１，Ｓ−２２，Ｓ−２３）工程をさらに有することを特徴とする請求項１９に記載の方法。
【手続補正書】
【提出日】平成20年5月8日(2008.5.8)
【手続補正１】
【補正対象書類名】特許請求の範囲
【補正対象項目名】請求項８
【補正方法】変更
【補正の内容】
【請求項８】
前記ホームネットワーク（ＨＰＬＭＮ）から受信した許された在圏ネットワークのリスト（“ユーザの選択”リスト）よりもユーザの好みを適用する手段をさらに有し、
前記適用されるユーザの好みは、Ｕ−ＳＩＭカード（Ｐ−５０）に格納された好みの在圏ネットワークのいずれかのリストにあることを特徴とする請求項５に記載のユーザ装置（ＵＥ）。
【手続補正２】
【補正対象書類名】特許請求の範囲
【補正対象項目名】請求項９
【補正方法】変更
【補正の内容】
【請求項９】
前記ホームネットワークに向けて、前記ユーザを特定するユーザアイデンティティ（Ｕｓｅｒ−ＩＤ）と、前記選択されたＷＬＡＮアクセスネットワーク（ＳＳＩＤ−１）の識別子と在圏ネットワーク（ＶＰＬＭＮ−２）の識別子とを提出する登録手段（Ｓ−２０，Ｓ−２１，Ｓ−２２，Ｓ−２３）をさらに有することを特徴とする請求項６に記載のユーザ装置（ＵＥ）。
【手続補正３】
【補正対象書類名】特許請求の範囲
【補正対象項目名】請求項１５
【補正方法】変更
【補正の内容】
【請求項１５】
示されたＷＬＡＮアクセスネットワーク各々を介してアクセス可能な在圏ネットワークの前記受信リストから、ローミングが禁止されていることが見出された在圏ネットワーク（ＶＰＬＭＮ−３）を削除する手段と、
ローミングが許された在圏ネットワークの最終リスト（ユーザの選択リスト）を作り上げるために、前記ホームネットワークのオペレータにより設定された優先順位のもとで、各許されたＷＬＡＮアクセスネットワークをベースとして前記許された在圏ネットワークに優先順位を付ける手段とをさらに有することを特徴とする請求項１１に記載のローミングサーバ装置（Ｎ−５３）。
【国際調査報告】
2008544596.tif 000011
2008544596.tif 000012
2008544596.tif 000013
2008544596.tif 000014